【手続補正書】
【提出日】平成15年7月10日(2003.7.10)
【手続補正１】
【補正対象書類名】明細書
【補正対象項目名】特許請求の範囲
【補正方法】変更
【補正の内容】
【特許請求の範囲】
【請求項１】
ホームページのデータを受信する通信ステップと、
前記通信ステップで受信したホームページのデータに基づいて、該ホームページに関する縮小画像を作成する縮小画像作成ステップと、
前記縮小画像を表示させる表示ステップと
を有することを特徴とする通信制御方法。
【請求項２】
前記表示ステップでは、複数のホームページのそれぞれに関する縮小画像を一覧表示させることを特徴とする請求項１に記載の通信制御方法。
【請求項３】
更に、前記縮小画像作成ステップで作成された該ホームページに関する縮小画像を、該ホームページのアドレスと対応付けて記憶手段に記憶させる記憶ステップを有することを特徴とする請求項１に記載の通信制御方法。
【請求項４】
更に、前記縮小画像作成ステップで作成された該ホームページに関する縮小画像を、前記通信ステップで受信した該ホームページのデータと対応付けて記憶手段に記憶させる記憶ステップを有することを特徴とする請求項１に記載の通信制御方法。
【請求項５】
前記表示ステップで表示されている縮小画像の中から表示指示がなされた縮小画像を判断する判断ステップと、
前記判断ステップで表示指示がなされたと判断された縮小画像に対応付けられているアドレスを前記記憶手段から検索する検索ステップと、
当該検索されたアドレスに対応するホームページのデータを受信するように制御する受信ステップとを、
更に有することを特徴とする請求項３に記載の通信制御方法。
【請求項６】
前記表示ステップで表示されている縮小画像の中から表示指示がなされた縮小画像を判断する判断ステップと、
前記判断ステップで表示指示がなされたと判断された縮小画像に対応付けられているホームページのデータを前記記憶手段から検索する検索ステップと、
当該検索されたホームページのデータに基づいて、該ホームページを表示させるホームページ表示ステップとを、
更に有することを特徴とする請求項４に記載の通信制御方法。
【請求項７】
更に、前記通信ステップで受信したホームページのデータのアドレスと、前記記憶手段に記憶されているデータのアドレスとを比較し、当該ホームページのデータが既に記憶されているか否かを判断する比較判断ステップを有し、
当該受信したホームページのデータが前記記憶手段に記憶されていないと前記比較判断ステップで判断した場合に、前記縮小画像作成ステップにおいて当該受信したホームページのデータに基づき該ホームページに関する縮小画像が作成されることを特徴とする請求項３に記載の通信制御方法。
【請求項８】
前記表示ステップでは、前記通信ステップで受信したホームページをホームページ表示部に表示させると共に、該ホームページに関する縮小画像を縮小画像表示部に表示させることを特徴とする請求項１に記載の通信制御方法。
【請求項９】
前記表示ステップでは、前記複数のホームページそれぞれに関する縮小画像を一覧表示し切れない場合、該縮小画像が表示されるウィンドウのエレベーター部が操作されるのに応じて当該一覧表示し切れなかった縮小画像が表示されるように制御することを特徴とする請求項２に記載の通信制御方法。
【請求項１０】
前記ホームページのデータはインターネットを介して受信されることを特徴とする請求項１に記載の通信制御方法。
【請求項１１】
ホームページのデータを受信する通信手段と、
前記通信手段で受信したホームページのデータに基づいて、該ホームページに関する縮小画像を作成する縮小画像作成手段と、
前記縮小画像を表示する表示手段と
を有することを特徴とする通信制御装置。
【請求項１２】
前記表示手段は、複数のホームページのそれぞれに関する縮小画像を一覧表示することを特徴とする請求項１１に記載の通信制御装置。
【請求項１３】
更に、前記縮小画像作成手段で作成された該ホームページに関する縮小画像を、該ホームページのアドレスと対応付けて記憶する記憶手段を有することを特徴とする請求項１１に記載の通信制御装置。
【請求項１４】
更に、前記縮小画像作成手段で作成された該ホームページに関する縮小画像を、前記通信手段で受信した該ホームページのデータと対応付けて記憶する記憶手段を有することを特徴とする請求項１１に記載の通信制御装置。
【請求項１５】
前記表示手段で表示されている縮小画像の中から表示指示がなされた縮小画像を判断する判断手段と、
前記判断手段で表示指示がなされたと判断された縮小画像に対応付けられているアドレスを前記記憶手段から検索する検索手段と、
当該検索されたアドレスに対応するホームページのデータを受信するように制御する受信手段とを、
更に有することを特徴とする請求項１３に記載の通信制御装置。
【請求項１６】
前記表示手段で表示されている縮小画像の中から表示指示がなされた縮小画像を判断する判断手段と、
前記判断手段で表示指示がなされたと判断された縮小画像に対応付けられているホームページのデータを前記記憶手段から検索する検索手段と、
当該検索されたホームページのデータに基づいて、該ホームページを表示させるホームページ表示手段とを、
更に有することを特徴とする請求項１４に記載の通信制御装置。
【請求項１７】
更に、前記通信手段で受信したホームページのデータのアドレスと、前記記憶手段に記憶されているデータのアドレスとを比較し、当該ホームページのデータが既に記憶されているか否かを判断する比較判断手段を有し、
当該受信したホームページのデータが前記記憶手段に記憶されていないと前記比較判断手段で判断した場合に、前記縮小画像作成手段において当該受信したホームページのデータに基づき該ホームページに関する縮小画像が作成されることを特徴とする請求項１３に記載の通信制御装置。
【請求項１８】
前記表示手段は、前記通信手段で受信したホームページをホームページ表示部に表示すると共に、該ホームページに関する縮小画像を縮小画像表示部に表示することを特徴とする請求項１１に記載の通信制御装置。
【請求項１９】
前記表示手段は、前記複数のホームページそれぞれに関する縮小画像を一覧表示し切れない場合、該縮小画像が表示されるウィンドウのエレベーター部が操作されるのに応じて当該一覧表示し切れなかった縮小画像が表示されるように制御することを特徴とする請求項１２に記載の通信制御装置。
【請求項２０】
前記通信手段は、インターネットを介して前記ホームページのデータを受信することを特徴とする請求項１１に記載の通信制御装置。
【手続補正２】
【補正対象書類名】明細書
【補正対象項目名】０００５
【補正方法】変更
【補正の内容】
【０００５】
【課題を解決するための手段】
上記目的を達成するために、本発明の請求項１の通信制御方法は、ホームページのデータを受信する通信ステップと、前記通信ステップで受信したホームページのデータに基づいて、該ホームページに関する縮小画像を作成する縮小画像作成ステップと、前記縮小画像を表示させる表示ステップとを有することを特徴とする。
請求項２の通信制御方法は、請求項１に記載の通信制御方法において、前記表示ステップでは、複数のホームページのそれぞれに関する縮小画像を一覧表示させることを特徴とする。
請求項３の通信制御方法は、請求項１に記載の通信制御方法において、更に、前記縮小画像作成ステップで作成された該ホームページに関する縮小画像を、該ホームページのアドレスと対応付けて記憶手段に記憶させる記憶ステップを有することを特徴とする。
請求項４の通信制御方法は、請求項１に記載の通信制御方法において、更に、前記縮小画像作成ステップで作成された該ホームページに関する縮小画像を、前記通信ステップで受信した該ホームページのデータと対応付けて記憶手段に記憶させる記憶ステップを有することを特徴とする。
請求項５の通信制御方法は、請求項３に記載の通信制御方法において、前記表示ステップで表示されている縮小画像の中から表示指示がなされた縮小画像を判断する判断ステップと、前記判断ステップで表示指示がなされたと判断された縮小画像に対応付けられているアドレスを前記記憶手段から検索する検索ステップと、当該検索されたアドレスに対応するホームページのデータを受信するように制御する受信ステップとを、更に有することを特徴とする。
請求項６の通信制御方法は、請求項４に記載の通信制御方法において、前記表示ステップで表示されている縮小画像の中から表示指示がなされた縮小画像を判断する判断ステップと、前記判断ステップで表示指示がなされたと判断された縮小画像に対応付けられているホームページのデータを前記記憶手段から検索する検索ステップと、当該検索されたホームページのデータに基づいて、該ホームページを表示させるホームページ表示ステップとを、更に有することを特徴とする。
請求項７の通信制御方法は、請求項３に記載の通信制御方法において、更に、前記通信ステップで受信したホームページのデータのアドレスと、前記記憶手段に記憶されているデータのアドレスとを比較し、当該ホームページのデータが既に記憶されているか判断する比較判断ステップを有し、当該受信したホームページのデータが前記記憶手段に記憶されていないと前記比較判断ステップで判断した場合に、前記縮小画像作成ステップにおいて当該受信したホームページのデータに基づき該ホームページに関する縮小画像が作成されることを特徴とする。
請求項８の通信制御方法は、請求項１に記載の通信制御方法において、前記表示ステップでは、前記通信ステップで受信したホームページをホームページ表示部に表示させると共に、該ホームページに関する縮小画像を縮小画像表示部に表示させることを特徴とする。
請求項９の通信制御方法は、請求項２に記載の通信制御方法において、前記表示ステップでは、前記複数のホームページそれぞれに関する縮小画像を一覧表示し切れない場合、該縮小画像が表示されるウィンドウのエレベーター部が操作されるのに応じて当該一覧表示し切れなかった縮小画像が表示されるように制御することを特徴とする。
請求項１０の通信制御方法は、請求項１に記載の通信制御方法において、前記ホームページのデータはインターネットを介して受信されることを特徴とする。上記目的を達成するため、請求項１１の通信制御装置は、ホームページのデータを受信する通信手段と、前記通信手段で受信したホームページのデータに基づいて、該ホームページに関する縮小画像を作成する縮小画像作成手段と、前記縮小画像を表示する表示手段とを有することを特徴とする。
請求項１２の通信制御装置は、請求項１１に記載の通信制御装置において、前記表示手段は、複数のホームページのそれぞれに関する縮小画像を一覧表示することを特徴とする。
請求項１３の通信制御装置は、請求項１１に記載の通信制御装置において、更に、前記縮小画像作成手段で作成された該ホームページに関する縮小画像を、該ホームページのアドレスと対応付けて記憶する記憶手段を有することを特徴とする。
請求項１４の通信制御装置は、請求項１１に記載の通信制御装置において、更に、前記縮小画像作成手段で作成された該ホームページに関する縮小画像を、前記通信手段で受信した該ホームページのデータと対応付けて記憶する記憶手段を有することを特徴とする。
請求項１５の通信制御装置は、請求項１３に記載の通信制御装置において、前記表示手段で表示されている縮小画像の中から表示指示がなされた縮小画像を判断する判断手段と、前記判断手段で表示指示がなされたと判断された縮小画像に対応付けられているアドレスを前記記憶手段から検索する検索手段と、当該検索されたアドレスに対応するホームページのデータを受信するように制御する受信手段とを、更に有することを特徴とする。
請求項１６の通信制御装置は、請求項１４に記載の通信制御装置において、前記表示手段で表示されている縮小画像の中から表示指示がなされた縮小画像を判断する判断手段と、前記判断手段で表示指示がなされたと判断された縮小画像に対応付けられているホームページのデータを前記記憶手段から検索する検索手段と、当該検索されたホームページのデータに基づいて、該ホームページを表示させるホームページ表示手段とを、更に有することを特徴とする。
請求項１７の通信制御装置は、請求項１３に記載の通信制御装置において、更に、前記通信手段で受信したホームページのデータのアドレスと、前記記憶手段に記憶されているデータのアドレスとを比較し、当該ホームページのデータが既に記憶されているか判断する比較判断手段を有し、当該受信したホームページのデータが前記記憶手段に記憶されていないと前記比較判断手段で判断した場合に、前記縮小画像作成手段において当該受信したホームページのデータに基づき該ホームページに関する縮小画像が作成されることを特徴とする。
請求項１８の通信制御装置は、請求項１１に記載の通信制御装置において、前記表示手段は、前記通信手段で受信したホームページをホームページ表示部に表示すると共に、該ホームページに関する縮小画像を縮小画像表示部に表示することを特徴とする。
請求項１９の通信制御装置は、請求項１２に記載の通信制御装置において、前記表示手段は、前記複数のホームページそれぞれに関する縮小画像を一覧表示し切れない場合、該縮小画像が表示されるウィンドウのエレベーター部が操作されるのに応じて当該一覧表示し切れなかった縮小画像が表示されるように制御することを特徴とする。
請求項２０の通信制御装置は、請求項１１に記載の通信制御装置において、前記通信手段は、インターネットを介して前記ホームページのデータを受信することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００３４
【補正方法】変更
【補正の内容】
【００３４】
【発明の効果】
以上詳細に説明したように、本発明によれば、ホームページのデータが受信され、該受信されたホームページのデータに基づいて、該ホームページに関する縮小画像が作成され、この縮小画像が表示されるので、ホームページを縮小化された画面をもとに簡単に検索できる。


【手続補正９】
【補正対象書類名】明細書
【補正対象項目名】００３５
【補正方法】変更
【補正の内容】
【００３５】
また、本発明によれば、表示されている縮小画像の中から表示指示がなされた縮小画像が判断され、この表示指示がなされたと判断された縮小画像に対応付けられているアドレスが記憶手段から検索され、この検索されたアドレスに対応するホームページのデータを受信するように制御されるので、ホームページを開く指示を縮小化された画面を指定するだけという簡単な操作で可能にし、更に、最新のホームページを受信することができる。


【手続補正１０】
【補正対象書類名】明細書
【補正対象項目名】００３６
【補正方法】変更
【補正の内容】
【００３６】
また、本発明によれば、表示されている縮小画像の中から表示指示がなされた縮小画像が判断され、表示指示がなされたと判断された縮小画像に対応付けられているホームページのデータが記憶手段から検索され、この検索されたホームページのデータに基づいて、該ホームページが表示されるので、一度でも開いたことのあるホームページを開く指示を縮小化された画面を指定するだけという簡単な操作で可能にする。
【手続補正１１】
【補正対象書類名】明細書
【補正対象項目名】００３７
【補正方法】変更
【補正の内容】
【００３７】
また、本発明によれば、記憶されていないホームページに関するデータを縮小画像とともに記憶していくので、ホームページを縮小化された画面をもとに簡単に検索できるようになる。